(57)【要約】      （修正有）【課題】人間にとってコンピューターの外部記憶装置の様な役割を持たせた機能を持ち音声入力等，音声出力等により物忘れを防止する装置及び防止方法を提供する。【解決手段】記憶すべき内容が発生した時、音声入力により記憶させたい内容ＡはＢであると入力する。このデータは使用者情報データベースとしてデータベース化しＡはＢ又はＢはＡの様に双方から音声で検索できる。使用者情報データベースから検索により一致した情報を前記携帯装置に出力することを特徴とする携帯型音声入力物忘れ防止装置を提供する。これの応用としてＡをある一定の時刻として特定時刻情報データベースとしてデータベース化しその時間に録音した内容を再生させることも出来る。【選択図】  図１
2004178536.tif 000002
【特許請求の範囲】
【請求項１】
使用者が記憶させたい内容ＡをＡ（記憶させたいキーワード及び時間、物）＝Ｂ（記憶に結びつく物）の形に音声で記憶させそれをデータベース化できることを特徴とする携帯型音声入力物忘れ防止装置。
【請求項２】
思い出したい時にキーワードＡを音声入力する事により説明文等Ｂを検索できることを特徴とする請求項１記載の携帯型音声入力物忘れ防止装置。
【請求項３】
思い出したい時に説明文等Ｂを音声入力する事によりキーワードＡを検索できることを特徴とする請求項１記載の携帯型音声入力物忘れ防止装置。
【請求項４】
タイマーに合わせた時間Ａに録音内容Ｂを再生できることを特徴とする請求項１記載の携帯型音声入力物忘れ防止装置。
【請求項５】
Ａ＝ＢのＢを複数記録できることを特徴とする請求項１記載の携帯型音声入出力物忘れ防止装置。
【請求項６】
使用者がレコード属性を目的により設定できることを特徴とする請求項１記載の携帯型音声入力物忘れ防止装置。
【請求項７】
あいうえお又はＡＢＣ順の辞書の様にソートすることが出来ることを特徴とする請求項１記載の携帯型音声入力物忘れ防止装置。
【請求項８】
入力した日付時刻を記録でき思い出し易くされたことを特徴とする請求項１記載の携帯型音声入力物忘れ防止装置。
【請求項９】
データベース入力日ごと、期間ごと、又はジャンル別によって抽出できることを特徴とする請求項１記載の携帯型音声入力物忘れ防止装置。
【発明の詳細な説明】
【０００１】
【発明の属する技術分野】
本発明は、人間にとってコンピューターの外部記憶装置の様な役割を持たせた機能を持ち音声入力等，音声出力等により物忘れを防止する装置及び防止方法に関する。
【０００２】
【従来の技術】
現在、物忘れを防止するのはメモやノートに内容を書くのが通常である。
しかし、このような方法では、どこに書いたのか不明になったり又は調べるのに多くの時間を要することになる。一方インターネットの検索エンジン等によりワード検索等のシステムは存在する、がきわめて個人的な情報のデータベースを作成及び検索するシステムは存在しなかった。
【０００３】
【発明が解決しようとする課題】
従来、忘却を防ぐ方法にメモをとる或いはテープレコーダーにより録音する等の方法が取られた。しかしこれでは思い出したい時に即座に思い出すには時間が必要である。従来の技術では思い出したくなった時など、場所を特定することなく、直ちに思い出したいとゆう要求に対応できない。そこで本システムでは使用者が忘れてはいけない記憶を音声入力により入力しデータベース化することにより必要なときに音声出力又は映像、文字等により自由に取り出せるように考案された。
【０００４】したがって、本発明の目的は、音声入出力機能を有する携帯装置等を用いてどの場所からでも思い出したいことがらを思い出させることが可能な携帯型音声入力物忘れ防止装置を提供することにある。
【０００５】
【課題を解決するための手段】上記の目的を達成する為になされた本願発明は以下の通りである。〔第１の実施の形態〕記憶すべき内容が発生した時、音声入力により記憶させたい内容ＡはＢであると入力する。このデータは使用者情報データベースとしてデータベース化し、ＡはＢ又はＢはＡの様に双方から音声で検索できるようにする。〔第２の実施の形態〕これの応用としてＡをある一定の時刻として特定時刻情報データベースとしてデータベース化し、その時間に録音した内容を再生させることも出来る。使用者情報データベースから検索により一致した情報を前記携帯装置に出力することを特徴とする携帯型音声入力物忘れ防止装置を提供する。
【０００６】このシステムによれば、携帯装置等の使用者が思い出したい事柄を知りたいと思ったとき、マイクを通して入力した情報をベータベース検索装置より検索し該当する情報が存在すればベータベース検索装置はその情報を確定し、その情報は携帯装置に表示又は音声により報知される。したがって、どの場所からでも使用者の個人的なデータベース情報を知ることが出来、しかも、使用者は面倒な作業やコンピュータシステム等の技能や知識を必要としない。
【０００７】
【発明の実施の形態】以下、本発明の実施の形態について図面を基に説明する。〔第１の実施の形態〕図１は、本発明の携帯型音声入力物忘れ防止装置の実施概略を示す説明図である。携帯型音声入力物忘れ防止装置は使用者によって所持され、この携帯型音声入力物忘れ防止装置装置は、入出力セクション１０と処理セクション４０に分かれており、タイマー付制御部２０には特定時刻情報データベース２１、使用者情報データベース３１及び検索データ分析装置３０が接続されている。検索データ分析装置３０には使用者情報データベース３１が接続されている。
【０００８】タイマー付制御部２０は（タイマー、ＣＰＵ、半導体メモリ、ハードディスク等を含む）情報処理装置により構成されており、入力部１１からの入力データを受け取って特定時刻情報を特定時刻情報データベース２１に蓄積する機能、使用者情報を使用者情報データベース３１に蓄積する機能、検索データ分析装置３０へ送信する機能、及び検索データ分析装置３０から受け取った検索データを出力部１２へ送信する機能を有している。
【０００９】検索データ分析装置３０は、タイマー付制御部２０からの受信データを分析して、そのデータ情報を使用者情報データベース３１に蓄積されているデータベースの使用者情報データと比較し、一致するものがあるときにはデータを確定し、又、類似するものがあるときには対応すると考えられるデータを候補データとし、これを分析結果として送信する。使用者情報データベース３１は、使用者情報データとして蓄積するほか、検索データ分析装置３０からの指示に応じて検索を実行する。
【００１０】図２は、検索データ分析装置３０の構成を示す。検索データ分析装置３０は、タイマー付制御部２０および特定時刻データベース２１とデータ伝送を行うためのインターフェース部３２、タイマー付制御部２０を通して入力された入力部１１からの検索情報に基づいて使用者情報データベース３１を検索する比較部３３、この比較部３３による検索により確定したデータ（または、類似のデータ）等の情報を出力する出力処理部３４、およびインターフェース部３２〜出力処理部３４のそれぞれを制御する制御部３５を備えて構成されている。制御部３５は、ＣＰＵ、半導体メモリ、ハードディスク等の記憶媒体を備えて構成されている。
【００１１】比較部３３は、比較情報と一致するものが使用者情報データベース３１のデータベースに存在するか否かを検索し、一致するもの、或いは類似するものがあれば、そのデータを使用者情報データベース３１から取り出し、出力処理部３４へ分析結果として出力する。出力処理部３４は、制御部３５の管理のもとに出力データ（分析結果）を出力する。
【００１２】次に、図１の構成の概略動作について説明する。
（データ蓄積の場合）使用者が情報を蓄積したいデータがあるとき、入力部１１から入力データをＡ＝Ｂの形で入力し、タイマー付制御部２０へ送信する。タイマー付制御部２０は、入力部１１から入力データを受け取ると、入力した日付時刻等の属性をデータに付け、特定時刻情報か使用者情報かを判別し特定時刻情報は特定時刻情報データベース２１に送信し蓄積され、使用者情報は使用者情報データベース３１に送信し蓄積される。
【００１３】（データ検索の場合）使用者が情報を検索したいデータがあるとき、入力部１１から検索データを入力し、タイマー付制御部２０へ送出する。タイマー付制御部２０は、入力部１１から検索データを受け取ると、検索データを検索データ分析装置３０へ送信する。検索データ分析装置３０は、受け取った検索データを分析し、使用者情報データベース３１に蓄積されたデータ情報と照合してデータを確定し、或いはデータ候補の選択を行って、そのデータをタイマー付制御部２０へ送信する。タイマー付制御部２０では、検索データ分析装置３０から受け取った出力情報を出力部１２へ送信する。これにより、使用者は入出力セクション１０の出力部１２に表示されたテキスト表示、画像、映像、或いはスピーカからの音声出力により目的データを知ることができる。
【００１４】第１の実施の形態に於ける動作例、図３および図４は、本発明の携帯型音声入力物忘れ防止装置の処理フローを示す。図中、Ｓはステップを意味している。以下、図３および図４に基づいて本発明の処理を説明する。ここでは、携帯型音声入力物忘れ防止装置は携帯電話機等、又はＰＤＡのような物とし、先ず、設定手順について説明する。
【００１５】使用者が入力部１１を用いてデータを登録する。
１．使用者は、入力部１１の音声認識（またはボタン操作による入力）により、使用者情報を入力する（Ｓ１０１）。タイマー付制御部２０は受け取ったデータが特定時刻情報データか使用者情報データかを判別し（Ｓ１０２）特定時刻情報の時は特定時刻情報データベース２１に送信し蓄積する。（Ｓ１０３）
２．使用者情報データの場合は受け取った入力データ情報を使用者情報データベースに送信し蓄積する（Ｓ１０４）。これにより、利用者情報のデータベース化が行われる。
【００１６】次に、出力手順について説明する。
３．入力部より入力された検索データ情報は（Ｓ２０１）タイマー付制御部２０より判別され（Ｓ２０２）検索データ分析装置３０に送信される。検索データ分析装置３０は、受け取った検索データ情報を分析し、その特徴に合致するデータを使用者情報データベース３１に蓄積されたデータ情報から検索（Ｓ２０３）してデータを確定し、或いはデータ候補を選択する。こうして確定したデータ或いはデータ候補のリストを送信する（Ｓ２０４）。
【００１７】４．検索データ分析装置３０から受け取ったデータを（或いは、データ候補のリスト）、出力部１２に出力（Ｓ２０５）すると共に、出力部１２は、情報をテキスト表示、画像表示、または音声により出力し一連の処理を終了する。（Ｓ２０６）
【００１８】〔第２の実施の形態〕従来の携帯型個人情報機器には、タイマー機能により、予め設定した時刻になるとアラーム音が鳴り、使用者に注意を促す機能は存在したが、注意すべき内容そのものを知らせる機能は存在しなかった。本発明は上記事情を考慮して成されたものであり、音声出力内容と音声出力時刻とを利用者が予め設定しておくことにより、その時刻になると内蔵タイマーにより自動的に設定された音声出力を実行し、時刻だけでなく、その内容についても利用者に注意を促す機能を具備することで、上記携帯型機器の利便性を向上させるようにした音声出力方法、及び携帯型電子情報処理装置を提供する事を目的とする。
【００１９】内蔵タイマーにより予め設定した時刻になると、前記音声出力のうち予め指定した音声出力部分を出力する事を特徴とする出力方法にある。また、本装置においては現在の時間でも記録できるので日誌の様に記録データベースとして活用してもよい。
【００２０】第２の実施の形態に於ける動作例では、本装置のスケジュール機能と音声出力機能とを組み合わせた機能を例にとる。先ず、時刻及び音声出力内容の設定手順について説明する。
１．使用者が入力部１１を用いてスケジュール等（開始時刻・内容、）を登録する。（Ｓ１０１）
２．音声出力が指示された場合、登録されたスケジュールデータに、音声出力実行を意味するデータと、音声出力設定時刻を付加して特定時刻情報データベース２１内に蓄積、保存する。（Ｓ１０３）
【００２１】次に、音声出力手順について説明する。
３．タイマー付制御部内のタイマーは常に現在時刻を監視し、現在時刻が音声出力設定時刻になったか否かをタイマー付制御部内のＣＰＵに通知する。（Ｓ１１０）
４．タイマー付制御部内のＣＰＵはタイマーの計時動作で音声出力設定時刻になったことを検出すると、設定された内容を出力部１２へ送り込み、出力部１２の内蔵スピーカより出力する。（Ｓ１１１）
【００２２】但し、タイマーは通常音声出力を３回行うが入力部１１から音声出力中止が命じられた場合、音声出力を終了する。（Ｓ１１２）これとは別に予め音声出力の回数を使用者が設定できるようにしてもよい。又本システムは携帯端末を使い入出力セクションと処理セクションとのデータやり取りは通信によるやり取りとしてもよい。
【００２３】
【発明の効果】
以上より明らかなように、本携帯型音声入力物忘れ防止装置によれば、使用者情報を知りたいと思ったとき携帯装置のマイクを通して入力した情報を検索データ分析装置より検索され該当する情報が存在すれば検索データ分析装置はその情報を確定し、その情報は携帯装置に表示又は音声により報知される。いかなる場所においても即座に使用者情報をしることが出来、しかも、使用者は面倒な作業やコンピュータシステム等の技能や知識を必要としない。ここにおいて本発明はコンピューターにおける外部記憶装置の様に人間の外部記憶部分として活用することが可能となる。
【００２４】又、携帯型音声入力物忘れ防止装置に於いて、音声出力させる内容と音声出力させる時刻とを利用者が予め設定しておくことで、その時刻になると内蔵タイマーにより自動的に設定された特定時刻情報の音声出力を実行し、時刻だけでなくその内容についても使用者に注意を促すができ、携帯型機器の利便性を向上させるという効果を奏する。
【図面の簡単な説明】
【図１】本発明の実施形態に係る携帯型音声入力物忘れ防止装置の概要を示す説明図。
【図２】検索データ分析装置の構成を示す説明図。
【図３】本発明、データ登録の実施形態の処理を示すフローチャート。
【図４】本発明、データ検索の実施形態の処理を示すフローチャート。
【図５】同実施形態の使用者情報入力の画面を示した図。
【図６】同実施形態の特定時刻情報入力の画面を示した図。
【符号の説明】
１０入出力セクション
１１入力部
１２出力部
２０タイマー付制御部
２１特定時刻情報データベース
３０検索データ分析装置
３１使用者情報データベース
４０処理セクション
【図１】
2004178536.tif 000003
【図２】
2004178536.tif 000004
【図３】
2004178536.tif 000005
【図４】
2004178536.tif 000006
【図５】
2004178536.tif 000007
【図６】
2004178536.tif 000008